(57)【要約】【課題】吸収性物品を取り出しやすい吸収性物品包装体を提供する。【解決手段】吸収性物品１が被覆シート１２で覆われた吸収性物品包装体１１であって、吸収性物品１は、第１領域２３と第２領域２４とこれらの境界に形成された折り目２１とを有し、第１領域２３と折り目２１と第２領域２４が被覆シート１２で覆われ、吸収性物品１には被覆シート１２と剥離可能に接合された粘着部８が設けられ、粘着部８が第１領域２３と第２領域２４に設けられ、折り目２１には設けられない。【選択図】図６
2013236683.tif 000002
【特許請求の範囲】
【請求項１】
吸収性物品が被覆シートで覆われた吸収性物品包装体であって、
前記吸収性物品は、第１領域と第２領域とこれらの境界に形成された折り目とを有し、前記第１領域と前記折り目と前記第２領域が前記被覆シートで覆われ、
前記吸収性物品には、前記被覆シートと剥離可能に接合された粘着部が設けられ、
前記粘着部が、前記第１領域と前記第２領域に設けられ、前記折り目には設けられないことを特徴とする吸収性物品包装体。
【請求項２】
前記被覆シートは、前記第１領域から前記第２領域にかけて延びる切断可能線または端縁を有する請求項１に記載の吸収性物品包装体。
【請求項３】
前記吸収性物品は、外面側が前記被覆シートで覆われた状態で、一方向に延びる第１折り目で折り返され、さらに他方向に延びる第２折り目で折り返され、
前記第１折り目が、前記第１領域と前記第２領域の境界を形成している請求項１または２に記載の吸収性物品包装体。
【請求項４】
前記吸収性物品は、長手方向と幅方向を有する男性用失禁パッドであり、
前記男性用失禁パッドは、長手方向に折り畳まれることにより山折りと谷折りが形成されたプリーツ部を有するアウター部材を有し、
前記折り目が、長手方向に延びて形成され、
前記粘着部が、前記プリーツ部よりも長手方向の外方に設けられるとともに、前記切断可能線または前記端縁と前記男性用失禁パッドの長手方向の端縁との間に設けられている請求項２に記載の吸収性物品包装体。
【請求項５】
前記男性用失禁パッドは、外面側が前記被覆シートで覆われた状態で、長手方向に延びる第１折り目で折り返され、さらに幅方向に延びる第２折り目で折り返され、
前記第１折り目が、前記第１領域と前記第２領域の境界を形成している請求項４に記載の吸収性物品包装体。
【請求項６】
前記被覆シートは、前記第１領域から前記第２領域にかけて延びる切断可能線または端縁を有し、
前記粘着部が、前記切断可能線または前記端縁から１ｍｍ以上離れて設けられる請求項１〜５のいずれか一項に記載の吸収性物品包装体。
【請求項７】
前記被覆シートは、前記第１領域から前記第２領域にかけて延びる端縁を有し、
前記被覆シートは、前記端縁から内側に折り返されて延在する折り返し部を有し、前記粘着部が前記折り返し部と剥離可能に接合されている請求項１〜６のいずれか一項に記載の吸収性物品包装体。
【発明の詳細な説明】
【技術分野】
【０００１】
本発明は、軽失禁パッドや生理用ナプキンや男性用失禁パッド等の吸収性物品が被覆シートで覆われた吸収性物品包装体に関するものである。
【背景技術】
【０００２】
従来、吸収性物品が被覆シートで覆われた吸収性物品包装体が知られている。例えば特許文献１には、吸収性物品が一方向に折り畳まれて被覆シートで覆われた吸収性物品包装体が開示されている。特許文献１に開示される吸収性物品包装体では、被覆シートによって袋体が形成され、吸収性物品が被覆シートと粘着剤層で剥離可能に接合されて吸収性物品包装体が形成されており、被覆シートをミシン目等で分離することにより被覆シートから吸収性物品を取り出すことができる。
【先行技術文献】
【特許文献】
【０００３】
【特許文献１】特開平８−７１１０４号公報
【発明の概要】
【発明が解決しようとする課題】
【０００４】
特許文献１に開示される吸収性物品包装体は、被覆シート（袋体）から吸収性物品を比較的簡易な操作で取り出すことができる。しかし、被覆シートが吸収性物品と剥離可能に接合されているため、吸収性物品包装体から吸収性物品を取り出す際、被覆シートを吸収性物品から剥がしにくくなって吸収性物品を取り出しにくくなるおそれがある。本発明は前記事情に鑑みてなされたものであり、その目的は、吸収性物品を取り出しやすい吸収性物品包装体を提供することにある。
【課題を解決するための手段】
【０００５】
前記課題を解決することができた本発明の吸収性物品包装体とは、吸収性物品が被覆シートで覆われた吸収性物品包装体であって、吸収性物品は、第１領域と第２領域とこれらの境界に形成された折り目とを有し、第１領域と折り目と第２領域が被覆シートで覆われ、吸収性物品には被覆シートと剥離可能に接合された粘着部が設けられ、粘着部が第１領域と第２領域に設けられ、折り目には設けられないところに特徴を有する。本発明の吸収性物品包装体は、吸収性物品の折り目に粘着部が設けられず、折り目を挟んだ両側の第１領域と第２領域に粘着部が設けられており、この粘着部に被覆シートが剥離可能に接合されているため、吸収性物品包装体から吸収性物品を取り出す際、被覆シートを折り目が延びる方向に引っ張ることにより、折り目で被覆シートと吸収性物品の間にずれが生じて、被覆シートを粘着部から剥がしやすくなる。そのため、吸収性物品包装体から簡単に吸収性物品を取り出すことができる。
【０００６】
被覆シートは、第１領域から第２領域にかけて延びる切断可能線または端縁を有することが好ましい。このように被覆シートが形成されていれば、被覆シートから吸収性物品を取り出しやすくなる。
【０００７】
本発明の吸収性物品包装体は、吸収性物品が、外面側が被覆シートで覆われた状態で、一方向に延びる第１折り目で折り返され、さらに他方向に延びる第２折り目で折り返されて形成されるものでもよい。この場合、第１折り目が第１領域と第２領域の境界を形成していればよい。このように吸収性物品包装体が形成されていれば、吸収性物品がコンパクトに折り畳まれ、携帯性に優れるものとなる。
【０００８】
本発明の吸収性物品包装体に用いられる吸収性物品は、男性用失禁パッドであってもよい。この場合、男性用失禁パッドは、長手方向に折り畳まれることにより山折りと谷折りが形成されたプリーツ部を有するアウター部材を有し、折り目が長手方向に延びて形成され、粘着部が、プリーツ部よりも長手方向の外方に設けられるとともに、切断可能線または端縁と男性用失禁パッドの長手方向の端縁との間に設けられることが好ましい。このように吸収性物品包装体が形成されていれば、被覆シートを長手方向に引っ張って吸収性物品包装体から男性用失禁パッドを取り出す際、男性用失禁パッドのプリーツ部が自然に展開されて、展開されたプリーツ部を利用して男性用失禁パッドを簡単にカップ状に形成することができる。男性用失禁パッドはまた、外面側が被覆シートで覆われた状態で、長手方向に延びる第１折り目で折り返され、さらに幅方向に延びる第２折り目で折り返され、第１折り目が第１領域と第２領域の境界を形成しているものであってもよい。
【０００９】
粘着部は、切断可能線または端縁から１ｍｍ以上離れて設けられることが好ましい。このように粘着部が設けられれば、被覆シートを粘着部から剥がしやすくなる。また、被覆シートを粘着部から剥がしやすくする点から、被覆シートが端縁から内側に折り返されて延在する折り返し部を有し、粘着部が折り返し部と剥離可能に接合されていることも好ましい。
【発明の効果】
【００１０】
本発明の吸収性物品包装体は、吸収性物品の折り目に粘着部が設けられていないため、吸収性物品包装体から吸収性物品を取り出す際、被覆シートを吸収性物品から剥がしやすい。そのため、吸収性物品包装体から簡単に吸収性物品を取り出すことができる。
【図面の簡単な説明】
【００１１】
【図１】吸収性物品包装体に用いられる吸収性物品の一例を表し、吸収性物品を肌面側から見た平面図を表す。
【図２】図１に示した吸収性物品を外面側から見た平面図を表す。
【図３】図１および図２に示した吸収性物品のＡ−Ａ断面図を表す。
【図４】図４（ａ），（ｂ）は吸収性物品包装体の形成方法の第１実施態様を表し、図４（ｂ）は吸収性物品包装体を表す。
【図５】図５（ａ），（ｂ）は吸収性物品包装体の形成方法の第２実施態様を表し、図５（ｂ）は吸収性物品包装体を表す。
【図６】図６（ａ）〜（ｃ）は吸収性物品包装体の形成方法の第３実施態様を表し、図６（ｃ）は吸収性物品包装体を表す。
【図７】図５（ｂ）に示した吸収性物品のＢ−Ｂ断面図を表す。
【図８】図５（ｂ）に示した吸収性物品のＢ−Ｂ断面の変形例を表す。
【図９】吸収性物品包装体に吸収性物品として用いられる男性用失禁パッドの一例を表し、男性用失禁パッドを外面側から見た平面図を表す。
【図１０】図９に示した男性用失禁パッドを肌面側から見た平面図を表す。
【図１１】図９に示した男性用失禁パッドのＣ−Ｃ断面図を表す。
【図１２】図９に示した男性用失禁パッドをカップ状に形成し、外面側から見た斜視図を表す。
【図１３】図１３（ａ），（ｂ）は吸収性物品包装体の形成方法の第４実施態様を表し、図１３（ｂ）は吸収性物品包装体を表す。
【図１４】図１４（ａ）は図１３（ｂ）に示した吸収性物品包装体から男性用失禁パッドを取り出す方法を表し、図１４（ｂ）は吸収性物品包装体から男性用失禁パッドを取り出す際に男性用失禁パッドのプリーツ部が展開される様子を表す。
【図１５】図１５（ａ）〜（ｃ）は吸収性物品包装体の形成方法の第５実施態様を表し、図１５（ｃ）は吸収性物品包装体を表す。
【図１６】図１６（ａ）〜（ｃ）は吸収性物品包装体の形成方法の第６実施態様を表し、図１６（ｃ）は吸収性物品包装体を表す。
【発明を実施するための形態】
【００１２】
本発明の吸収性物品包装体は吸収性物品が被覆シートで覆われたものである。本発明の吸収性物品包装体は、吸収性物品が被覆シートで覆われた状態で被覆シートとともに折り返され、吸収性物品が被覆シートと粘着部で剥離可能に接合されている。吸収性物品包装体は被覆シートによって吸収性物品の一部または全部が包装され、吸収性物品を使用の際は、吸収性物品から被覆シートを剥がして用いられる。
【００１３】
本発明で用いられる吸収性物品についてまず説明する。本発明で用いられる吸収性物品は、着用者の股間に当てて用いるものであり、尿等の排泄物を受けることができるものであれば特に限定されない。本発明の吸収性物品の態様としては、尿パッド、使い捨ておむつ、軽失禁パッド、生理用ナプキン、男性用失禁パッド等が示される。なお、本発明で用いられる吸収性物品は被覆シートが剥離可能に接合されており、このように被覆シートが設けられる吸収性物品としては一般的に、軽失禁パッド、生理用ナプキン、男性用失禁パッド等が挙げられ、本発明の吸収性物品はこのような用途に好適に適用される。
【００１４】
吸収性物品の形状は特に限定されない。吸収性物品が、例えば軽失禁パッドや生理用ナプキンである場合、吸収性物品の形状としては、略長方形、長円形、砂時計型、ひょうたん型等が示される。吸収性物品が男性用失禁パッドである場合、使用時にカップ形状に形成されることが好ましい。なお男性用失禁パッドの使用前、すなわち吸収性物品包装体では、男性用失禁パッドは平面状に折り畳まれている。
【００１５】
吸収性物品は、例えば、液透過性のトップシートと液不透過性のバックシートとの間に吸収性コアが配されて形成される。なお、トップシートは肌面側に位置するシートであり、バックシートは外面側に位置するシートである。なお本発明において、肌面側とは、吸収性物品を着用する際に着用者の肌に向く側を意味し、外面側とは、着用者とは反対に向く側を意味する。
【００１６】
トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００１７】
バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００１８】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００１９】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布シート等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等との親和性を高めるために、界面活性剤等により親水化処理がされていてもよい。吸収性材料は、例えば、親水性繊維の集合体に吸水性樹脂を混合または散布したものを用いることが好ましい。
【００２０】
吸収性コアとしては、不織布間に吸水性樹脂を有しパルプ繊維を有しないシート状吸収体を用いてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。シート状吸収体に用いられる不織布は液透過性であり、トップシートに使用可能な不織布を用いればよい。シート状吸収体に用いられる不織布としては、比較的薄くて柔軟性の高い不織布が好ましく、例えば、スパンボンド不織布、ポイントボンド不織布、メルトブロー不織布、エアレイド不織布、またはＳＭＳ不織布を用いることが好ましい。
【００２１】
吸収性物品が男性用失禁パッドである場合、男性用失禁パッドは、上記に説明したようにトップシートとバックシートとの間に吸収性コアが配されて構成されていてもよく、また、少なくとも液不透過層を有するアウター部材から構成されていてもよい。アウター部材は、液不透過層のみを有していてもよく、肌面側に親水性層を有し外面側に液不透過層を有する積層体であってもよい。アウター部材が親水性層を有していれば、親水性層によって着用者から排泄された尿が吸収されるようになる。また、男性用失禁パッドは、アウター部材の肌面側に尿を吸収するための吸収体が設けられることも好ましい。
【００２２】
アウター部材の親水性層としては、トップシートに使用可能な材料を用いることができる。アウター部材の親水性層はまた、ケミカルボンド不織布、エアレイド不織布、エアスルー不織布、スパンレース不織布等の液保持性の高い不織布から構成されていてもよい。アウター部材の液不透過層としては、バックシートに使用可能な材料を用いればよい。
【００２３】
吸収体は、上記説明した吸収性コアに使用可能な材料を用いて形成してもよく、（ｉ）吸収性材料をシート部材で覆ったもの、（ｉｉ）シート状の吸収性材料を所望形状に形成したもの、等を用いることができる。前記（ｉ）の場合、吸収体の少なくとも肌面側に設けられるシート部材は液透過性であることが好ましい。吸収体の外面側に設けられるシート部材は、液透過性であってもよく、液不透過性であってもよい。吸収体に用いられる吸収性材料としては、吸収性コアに使用可能な吸収性材料を用いてもよく、発泡ポリマー；ケミカルボンド不織布、エアレイド不織布、エアスルー不織布、スパンレース不織布等の液保持性の高い不織布等を用いてもよい。
【００２４】
吸収性物品の外面側には粘着部が設けられる。粘着部は、例えば、バックシートの外面側やアウター部材の外面側に設けられる。粘着部は吸収性物品を覆う被覆シートと剥離可能に形成され、吸収性物品を使用する際に被覆シートを粘着部から剥がすことにより、粘着部により吸収性物品をパンツの肌面側に固定することができる。粘着部は、粘着剤が塗布されたり、粘着テープが貼り付けられることにより形成されればよい。
【００２５】
本発明では、吸収性物品が被覆シートに覆われて、吸収性物品包装体が形成される。被覆シートは、吸収性物品を個別に（１つずつ）、全体または部分的に包装する。被覆シートは１つのシート部材から形成されていてもよく、２つ以上のシート部材を繋ぎ合わせて形成されていてもよい。
【００２６】
被覆シートは吸収性物品の粘着部と剥離可能であればよく、例えば、プラスチックフィルムから構成されたり、吸収性物品と面する側がプラスチックフィルムから構成される積層体から構成されることが好ましい。後者の場合、被覆シートはプラスチックフィルムに紙や布材料（不織布、織布、編布等）等が積層された積層体が挙げられる。また被覆シートは、粘着部と接合する部分を粘着部と剥離可能な材料で構成し、その他の部分を紙や布材料（不織布、織布、編布等）等の粘着部と剥離不能な材料で構成してもよく、粘着部と接合する部分にシリコーン加工を施したりして粘着部との剥離性を高めてもよい。
【００２７】
本発明の吸収性物品包装体は、吸収性物品の外面側が被覆シートで覆われ、この状態で吸収性物品が被覆シートとともに折り目で折り返されている。その結果、吸収性物品は、折り目を挟んだ一方側に第１領域が形成され、他方側に第２領域が形成される。つまり吸収性物品は、第１領域と第２領域とこれらの境界に形成された折り目とを有し、第１領域と折り目と第２領域が被覆シートで覆われている。吸収性物品包装体は、このように吸収性物品と被覆シートとが折り返されて、被覆シートが吸収性物品と粘着部で剥離可能に接合している。そして粘着部が、第１領域と第２領域に設けられ、第１領域と第２領域の境界に形成された折り目には設けられない。以下、本発明の吸収性物品包装体について、図面を参照しながら説明する。なお本発明は、図面に示される実施態様に限定されるものではない。
【００２８】
図１〜図３には、本発明で用いられる吸収性物品の一例を示した。図１〜図３には、吸収性物品として軽失禁パッドが示されている。図１は、吸収性物品を肌面側から見た平面図を表し、図２は図１に示した吸収性物品を外面側から見た平面図を表し、図３は図１および図２に示した吸収性物品のＡ−Ａ断面図を表す。なお、本発明の図では、矢印ｘが幅方向、矢印ｙが長手方向を表し、矢印ｘ，ｙにより形成される面に対して垂直方向が厚み方向ｚを表す。
【００２９】
図１〜図３に示した吸収性物品１は、トップシート２とバックシート３とこれらの間に配された吸収性コア４とを有する。吸収性物品１は長円形を有しており、長手方向ｙを着用者の股間の前後方向に合わせ、幅方向ｘを着用者の左右方向に合わせて着用する。
【００３０】
トップシート２の幅方向ｘの両側には長手方向ｙに延在するサイドシート５が設けられ、サイドシート５により尿等の防漏壁となるフラップ６が形成されることが好ましい（図１および図３を参照）。サイドシート５は、液不透過性のプラスチックフィルムや液不透過性の不織布等により構成され、幅方向ｘの内方に起立用弾性部材７が設けられている。吸収性物品１の使用時には、起立用弾性部材７の収縮力によりサイドシート５の内方が着用者の肌に向かって立ち上がりフラップ６が形成され、これにより尿等の横漏れが防止される。
【００３１】
バックシート３の外面側には、図２に示すように、粘着部８が設けられている（粘着部８はクロスハッチングで表されている）。粘着部８がバックシート３の外面側に設けられることにより、吸収性物品１をパンツの肌面側に好適に取り付けることができる。粘着部８は、後述する被覆シート１２と剥離可能に接合される。粘着部８は、例えば、バックシート３等に粘着剤が塗布されたり、粘着テープが貼り付けられることにより形成される。
【００３２】
図４には、図１〜図３に示した吸収性物品を用いた吸収性物品包装体の形成方法の第１実施態様を示した。図４（ａ）には包装前の吸収性物品と被覆シートが示され、図４（ｂ）には吸収性物品包装体が示されている。図４（ｂ）では、吸収性物品１が被覆シート１２で覆われて吸収性物品包装体１１（１１Ａ）が形成されている。
【００３３】
吸収性物品包装体１１Ａは、吸収性物品１が被覆シート１２とともに折り目１３，１４で折り返されることにより形成されている。具体的には、吸収性物品包装体１１Ａは、吸収性物品１の外面側が被覆シート１２で覆われ、吸収性物品１が被覆シート１２とともに幅方向ｘに延びる折り目１３，１４で折り返され、その結果、吸収性物品１が長手方向ｙに３つ折りされている。吸収性物品包装体１１Ａは、被覆シート１２の幅方向ｘの両端部が、接着剤、熱融着、超音波融着等の公知の接合手段により封止部１８で接合されることが好ましい。
【００３４】
吸収性物品１は、折り目１３，１４で折り返されることにより、折り目１３を挟んで一方側に第１領域１５が形成され、他方側に第２領域１６が形成され、折り目１４を挟んで一方側に第２領域１６が形成され、他方側に第３領域１７が形成されている。すなわち吸収性物品包装体１１Ａでは、吸収性物品１が、第１領域１５と第２領域１６と第３領域１７と、第１領域１５と第２領域１６の境界に形成された折り目１３と、第２領域１６と第３領域１７の境界に形成された折り目１４を有している。
【００３５】
吸収性物品１は、第１領域１５と折り目１３と第２領域１６と折り目１４と第３領域１７が被覆シート１２で覆われ、一方、粘着部８は、第１領域１５と第２領域１６と第３領域１７に設けられ、折り目１３と折り目１４には設けられない。なお粘着部８は、第１領域１５と第２領域１６と第３領域１７が被覆シート１２で覆われる部分に設けられる。その結果、被覆シート１２は、吸収性物品１と、第１領域１５と第２領域１６と第３領域１７で接着され、折り目１３，１４では吸収性物品１と接着されないこととなる。
【００３６】
吸収性物品包装体１１Ａでは、被覆シート１２が長手方向ｙに延びる切断可能線１９を有している。切断可能線１９は、第１領域１５から第２領域１６を経て第３領域１７にかけて延びている。切断可能線１９は、被覆シート１２を幅方向ｘに分離可能に形成されていればよい。切断可能線１９は、例えば、被覆シート１２にミシン目を設けたり、被覆シート１２（熱可塑性のプラスチックフィルム製や熱可塑性繊維から構成される布製の被覆シート１２であることが好ましい）を部分的に加熱して脆弱化した部分を線状に設けることにより形成することができる。
【００３７】
吸収性物品包装体１１Ａは、折り目１３，１４が延びる方向（図４（ｂ）では幅方向ｘ）に被覆シート１２を引っ張ることにより、被覆シート１２が切断可能線１９で切断され、被覆シート１２から吸収性物品１を取り出すことができる。この際、粘着部８が折り目１３，１４に設けられていないため、被覆シート１２を幅方向ｘから少しずらして引っ張ると、折り目１３，１４で被覆シート１２と吸収性物品１との間にずれが生じて、折り目１３，１４の粘着部８が設けられない部分を起点に被覆シート１２を粘着部８から剥がしやすくなる。その結果、吸収性物品包装体１１Ａから吸収性物品１を簡単に取り出せるようになる。
【００３８】
図５には、図１〜図３に示した吸収性物品を用いた吸収性物品包装体の形成方法の第２実施態様を示した。図５（ａ）には包装前の吸収性物品と被覆シートが示され、図５（ｂ）には吸収性物品包装体が示されている。また図７には、図５（ｂ）に示した吸収性物品包装体のＢ−Ｂ断面図を示した。なお下記の説明において、第１実施態様と重複する部分の説明は省略する。
【００３９】
図４では、被覆シートが切断可能線を有する１つのシート部材から構成されていたが、図５では、被覆シートが２つのシート部材が繋ぎ合わされて構成されている。すなわち、吸収性物品１が被覆シート１２ａ，１２ｂで覆われて吸収性物品包装体１１（１１Ｂ）が形成されている。被覆シート１２ａは、第１領域１５から第２領域１６を経て第３領域１７に延びる端縁２０ａを有し、端縁２０ａが被覆シート１２ｂと重なって配されている。被覆シート１２ｂは、第１領域１５から第２領域１６を経て第３領域１７に延びる端縁２０ｂを有し、端縁２０ｂが被覆シート１２ａと重なって配されている。
【００４０】
被覆シート１２ａと被覆シート１２ｂは、重なり合う部分で、接着剤、熱融着、超音波融着等の公知の接合手段により互いに接合されていてもよい。この場合、被覆シート１２ａと被覆シート１２ｂは分離可能に形成されていることが好ましく、例えば、接着剤の接着力を弱めたり、被覆シート１２ａと被覆シート１２ｂとを部分的に接合することが好ましい。もちろん、被覆シート１２ａと被覆シート１２ｂは接合手段により互いに接合されていなくてもよい。
【００４１】
吸収性物品包装体１１Ｂにおける吸収性物品１の折り畳み方法は、吸収性物品包装体１１Ａと同じである。従って、吸収性物品包装体１１Ｂにおいても、吸収性物品包装体１１Ａと同様に、吸収性物品１に折り目１３，１４で区分された第１領域１５と第２領域１６と第３領域１７が形成されている。
【００４２】
吸収性物品１は、第１領域１５と折り目１３と第２領域１６と折り目１４と第３領域１７が被覆シート１２ａ，１２ｂで覆われ、一方、粘着部８は、第１領域１５と第２領域１６と第３領域１７に設けられ、折り目１３と折り目１４には設けられない。なお粘着部８は、第１領域１５と第２領域１６と第３領域１７が被覆シート１２ａ，１２ｂで覆われる部分にそれぞれ設けられる。その結果、被覆シート１２ａ，１２ｂはそれぞれ、吸収性物品１と、第１領域１５と第２領域１６と第３領域１７で接着され、折り目１３，１４では吸収性物品１と接着されない。粘着部８は、端縁２０ａ，２０ｂに沿ってそれぞれ設けられている。
【００４３】
吸収性物品包装体１１Ｂは、折り目１３，１４が延びる方向（図５（ｂ）では幅方向ｘ）に被覆シート１２ａと被覆シート１２ｂを引っ張ることにより、被覆シート１２ａと被覆シート１２ｂが互いに引き離されて、被覆シート１２ａ，１２ｂから吸収性物品１を取り出すことができる。この際、粘着部８が折り目１３，１４に設けられていないため、被覆シート１２ａ，１２ｂを幅方向ｘから少しずらして引っ張ると、折り目１３，１４で被覆シート１２ａ，１２ｂと吸収性物品１との間にずれが生じて、折り目１３，１４の粘着部８が設けられない部分を起点に被覆シート１２ａ，１２ｂを粘着部８から剥がしやすくなる。その結果、吸収性物品包装体１１Ｂから吸収性物品１を簡単に取り出せる。
【００４４】
上記の第１および第２実施態様に係る吸収性物品包装体１１Ａ，１１Ｂでは、吸収性物品１が幅方向ｘに延びる２つの折り目１３，１４で折り返されて長手方向ｙに３つ折りされていたが、吸収性物品が折り返される折り目の数は少なくとも１つあればよく、折り目の方向も特に限定されない。例えば、吸収性物品は幅方向に延びる１つの折り目で折り返されて長手方向に２つ折りされてもよく、長手方向に延びる折り目で折り返されてもよく、幅方向に延びる折り目と長手方向に延びる折り目でそれぞれ折り返されてもよい。いずれの場合も、折り目を挟んだ第１領域と第２領域に粘着部が設けられ、当該折り目に粘着部が設けられなければよい。
【００４５】
第１および第２実施態様に係る吸収性物品包装体１１Ａ，１１Ｂでは、被覆シート１２（１２ａ，１２ｂ）が第１領域１５から第２領域１６にかけて延びる切断可能線１９または端縁２０ａ，２０ｂを有しているが、被覆シート１２はこのような切断可能線または端縁を必ずしも有していなくてもよい。吸収性物品包装体は、概ね第１領域と第２領域を規定する折り目が延びる方向に被覆シートを引っ張ることにより、被覆シートを吸収性物品の粘着部から剥がして吸収性物品を取り出すことができるものであればよい。例えば、図４に示した吸収性物品包装体１１Ａにおいて、切断可能線１９が被覆シート１２の封止部１８の近傍の吸収性物品１と重ならない部分に形成されてもよい。このような吸収性物品包装体の場合、切断可能線を切断して被覆シートを開封した後、吸収性物品をつまんで被覆シートから吸収性物品を取り出せばよい。また吸収性物品包装体は、被覆シートが予め開封されているものでもよい。例えば、図５に示した吸収性物品包装体１１Ｂにおいて、被覆シートとして被覆シート１２ａのみが設けられ、被覆シート１２ｂが設けられないものであってもよい。このとき、被覆シート１２ａの端縁２０ａは吸収性物品１と重なるように位置してもよく、吸収性物品１と重ならずに位置してもよい。
【００４６】
図６には、図１〜図３に示した吸収性物品を用いた吸収性物品包装体の形成方法の第３実施態様を示した。図６（ａ）〜（ｃ）には吸収性物品を被覆シートで包装する方法が示され、図６（ｃ）には吸収性物品包装体が示されている。なお下記の説明において、上記の実施態様と重複する部分の説明は省略する。
【００４７】
図６では、吸収性物品１に被覆シート１２が重ねられて長手方向ｙと幅方向ｘに４つ折りされることにより、吸収性物品包装体１１（１１Ｃ）が形成されている。具体的には、吸収性物品１は、外面側が被覆シート１２で覆われた状態で、長手方向ｙに延びる第１折り目２１で折り返され、さらに幅方向ｘに延びる第２折り目２２で折り返されて、吸収性物品包装体１１Ｃが形成されている。
【００４８】
吸収性物品包装体１１Ｃでは、第１折り目２１が第１領域２３と第２領域２４の境界を形成している。吸収性物品１は、第１領域２３と第１折り目２１と第２領域２４が被覆シート１２で覆われ、一方、粘着部８は、第１領域２３と第２領域２４に設けられ、第１折り目２１には設けられない。なお粘着部８は、第１領域２３と第２領域２４が被覆シート１２で覆われる部分に設けられる。その結果、被覆シート１２は、吸収性物品１と、第１領域２３と第２領域２４で接着され、第１折り目２１では吸収性物品１と接着されないこととなる。
【００４９】
吸収性物品包装体１１Ｃは、第２折り目２２で折り返された被覆シート１２の長手方向ｙの端部どうしが、接着剤、熱融着、超音波融着等の公知の接合手段により封止部２６で接合されることが好ましい。一方、被覆シート１２は、第１折り目２１で折り返されることにより重ねられた幅方向ｘの端部どうしは、接合手段によって接合されても接合されなくてもよい。
【００５０】
吸収性物品包装体１１Ｃでは、被覆シート１２が幅方向ｘに延びる切断可能線２５を有している。切断可能線２５は、第１領域２３から第２領域２４にかけて延びており、第２折り目２２を挟んだ両側にそれぞれ形成されていることが好ましい。切断可能線２５は、被覆シート１２を長手方向ｙに分離可能に形成されていればよい。
【００５１】
吸収性物品包装体１１Ｃは、第１折り目２１が延びる方向（図６（ｃ）では長手方向ｙ）に被覆シート１２を引っ張ることにより、被覆シート１２が切断可能線２５で切断され、被覆シート１２から吸収性物品１を取り出すことができる。この際、粘着部８が第１折り目２１に設けられていないため、被覆シート１２を長手方向ｙから少しずらして引っ張ると、第１折り目２１で被覆シート１２と吸収性物品１との間にずれが生じて、第１折り目２１の粘着部８が設けられない部分を起点に被覆シート１２を粘着部８から剥がしやすくなる。その結果、吸収性物品包装体１１Ｃから吸収性物品１を簡単に取り出せる。
【００５２】
吸収性物品包装体１１Ｃは、吸収性物品１が長手方向ｙと幅方向ｘにそれぞれ折り返されて４つ折りされているため、コンパクトになり携帯性に優れるものとなる。吸収性物品包装体１１Ｃをコンパクトにする点から、第１折り目２１は吸収性物品１の幅方向ｘに対する中心線と一致することが好ましく、第２折り目２２は吸収性物品１の長手方向ｙに対する中心線と一致することが好ましい。
【００５３】
第３実施態様に係る吸収性物品包装体１１Ｃでは、第１折り目２１が長手方向ｙに延び、第２折り目２２が幅方向ｘに延びているが、第１折り目２１と第２折り目２２の延びる方向はこれに限定されない。すなわち、第１折り目は一方向に延び、第２折り目は他方向（前記一方向とは異なる方向）に延びるものであればよい。なおこの場合、他方向は一方向に対して直交していることが好ましい。
【００５４】
吸収性物品包装体１１Ｃでは、吸収性物品１の外面側の全体が被覆シート１２で覆われているが、被覆シート１２は吸収性物品１の外面側の一部のみを覆うものでもよい。被覆シート１２には切断可能線２５が設けられなくてもよく、また、第２実施態様に係る吸収性物品包装体のように、被覆シート１２が、第１領域２３から第２領域２４にかけて延びる端縁を有するものであってもよい。
【００５５】
本発明の吸収性物品包装体では、粘着部は、第１領域と第２領域の境界に形成される折り目に設けられないが、粘着部は、当該折り目から２ｍｍ以内の領域（より好ましくは５ｍｍ以内の領域であり、さらに好ましくは８ｍｍ以内の領域）に設けられないことが好ましい。すなわち、粘着部は、当該折り目から２ｍｍ以上（より好ましくは５ｍｍ以上であり、さらに好ましくは８ｍｍ以上）離れて設けられることが好ましい。このように粘着部が設けられれば、被覆シートを粘着部から剥がしやすくなる。
【００５６】
粘着部は、被覆シートの切断可能線または端縁と重なって設けられないことが好ましい。被覆シートが第１領域から第２領域にかけて延びる切断可能線を有する場合は、粘着部が切断可能線から離れて設けられることにより、被覆シートを切断可能線で切断しやすくなる。被覆シートが第１領域から第２領域にかけて延びる端縁を有する場合は、粘着部が被覆シートの端縁から離れて設けられることにより、当該端縁の近傍であって第１領域と第２領域を規定する折り目の近傍の粘着部が設けられない部分を起点に、被覆シートを粘着部から剥がしやすくなる。具体的には、粘着部は、被覆シートの切断可能線または端縁から１ｍｍ以上（より好ましくは２ｍｍ以上であり、さらに好ましくは３ｍｍ以上）離れて設けられることが好ましい。すなわち、粘着部は、被覆シートの切断可能線または端縁から１ｍｍ以内の領域（より好ましくは２ｍｍ以内の領域であり、さらに好ましくは３ｍｍ以内の領域）に設けられないことが好ましい。
【００５７】
被覆シートが第１領域から第２領域にかけて延びる端縁を有する場合は、粘着部は当該端縁から３０ｍｍ以内の領域（より好ましくは２５ｍｍ以内の領域であり、さらに好ましくは２０ｍｍ以内の領域）に設けられることが好ましい。このように粘着部が設けられれば、被覆シートの端縁がめくれにくくなり、吸収性物品包装体の取り扱い性が向上する。
【００５８】
被覆シートが第１領域から第２領域にかけて延びる端縁を有する場合は、被覆シートが当該端縁から内側に折り返されて延在する折り返し部を有し、粘着部が折り返し部と剥離可能に接合されていることも好ましい。これについて、図８を参照して説明する。
【００５９】
図８は、図５（ｂ）に示した吸収性物品包装体１１ＢのＢ−Ｂ断面の変形例を表している。図８では、被覆シート１２ａ，１２ｂがそれぞれ、端縁２０ａ，２０ｂから内側に折り返されて延在する折り返し部２７ａ，２７ｂを有し、粘着部８が折り返し部２７ａ，２７ｂと剥離可能に接合している。折り返し部２７ａ，２７ｂは、被覆シート１２ａ，１２ｂを吸収性物品１から剥がす際、端縁２０ａ，２０ｂでの折り返しが展開可能に形成されている。
【００６０】
例えば、被覆シート１２ａ，１２ｂが図７に示すように吸収性物品１の粘着部８と接合している場合は、吸収性物品包装体１１を幅方向ｘに引っ張ると、被覆シート１２ａ，１２ｂと吸収性物品１との間には剪断力が働く。一方、図８に示すように被覆シート１２ａ，１２ｂが折り返し部２７ａ，２７ｂで吸収性物品１の粘着部８と接合している場合は、吸収性物品包装体１１を幅方向ｘに引っ張ると、被覆シート１２ａ，１２ｂと吸収性物品１との間には剥離力が働く。このとき、被覆シート１２ａ，１２ｂを吸収性物品１から剥がす力の大きさとしては、剪断力の方が剥離力よりも大きい力を要することとなる。従って、図８に示すように、被覆シート１２ａ，１２ｂに折り返し部２７ａ，２７ｂが形成され、折り返し部２７ａ，２７ｂが吸収性物品１の粘着部８と剥離可能に接合されていれば、被覆シート１２ａ，１２ｂを吸収性物品１の粘着部８から剥がしやすくなる。
【００６１】
折り返し部を含む被覆シートは、１つのシート部材から形成されていてもよく、２つ以上のシート部材を繋ぎ合わせて形成されていてもよい。例えば、被覆シートは、折り返し部の剥離性を高めるために、折り返し部がそれ以外の部分とは別の部材や材料で構成されていてもよい。また、被覆シートの折り返し部の長さは、被覆シート全体（折り返し部が折り返された状態）の長さより短いことが好ましい。
【００６２】
粘着部が折り返し部に剥離可能に接合している場合、粘着部は、被覆シートが折り返される端縁（図８では端縁２０ａ，２０ｂ）の近傍に設けられないことが好ましい。具体的には、粘着部は、被覆シートの当該端縁から１ｍｍ以上（より好ましくは２ｍｍ以上であり、さらに好ましくは３ｍｍ以上）離れて設けられることが好ましい。すなわち、粘着部は、被覆シートの当該端縁から１ｍｍ以内の領域（より好ましくは２ｍｍ以内の領域であり、さらに好ましくは３ｍｍ以内の領域）に設けられないことが好ましい。このように粘着部が設けられていれば、被覆シートの折り返し部を吸収性物品の粘着部から動的に剥離しやすくなり、被覆シートを吸収性物品の粘着部から剥がしやすくなる。
【００６３】
本発明の吸収性物品包装体は、吸収性物品としてプリーツを有する男性用失禁パッドに適用することも好ましい。男性用失禁パッドは男性器に宛がって用いられ、男性用失禁パッドを装着することにより失禁による尿漏れを防ぐことができる。男性用失禁パッドは使用前はプリーツが折り畳まれ、使用の際にプリーツを展開することにより男性用失禁パッドをカップ状に形成し、男性器に好適に宛がうことができる。本発明の吸収性物品包装体は、吸収性物品としてプリーツを有する男性用失禁パッドを用いることにより、吸収性物品包装体から男性用失禁パッドを取り出す際に男性用失禁パッドのプリーツを自然に展開することができ、男性用失禁パッドをカップ状に容易に形成することができる。
【００６４】
図９〜図１２には、吸収性物品として使用される男性用失禁パッドの一例を示した。図９は男性用失禁パッドを外面側から見た平面図を表し、図１０は図９に示した男性用失禁パッドを肌面側から見た平面図を表し、図１１は図９のＣ−Ｃ断面図を表し、図１２はカップ状に形成した男性用失禁パッドを外面側から見た斜視図を表す。
【００６５】
男性用失禁パッド３１は、長手方向ｙと幅方向ｘを有する。男性用失禁パッド３１は、長手方向ｙを着用者の股間の前後方向に合わせ、幅方向ｘを着用者の左右方向に合わせて着用することが好ましい。
【００６６】
男性用失禁パッド３１は、構成部材として少なくともアウター部材３２を有する。アウター部材３２は、長手方向ｙに折り畳まれることにより山折り３４と谷折り３５が形成されたプリーツ部３３を有している。山折り３４と谷折り３５はアウター部材３２の外面側から見て定められるものとする。山折り３４と谷折り３５は、好ましくは幅方向ｘに延びている。なお、山折り３４と谷折り３５の配される順番は特に限定されず、山折り３４が谷折り３５よりも長手方向ｙの内方にあってもよく、外方にあってもよい。
【００６７】
男性用失禁パッド３１は、使用前は、図９や図１０に示すようにアウター部材３２が平面状に形成される。すなわち、アウター部材３２のプリーツ部３３が折り畳まれた状態に形成される。使用時には、男性用失禁パッド３１は、図１２に示すようにプリーツ部３３を展開してアウター部材３２をカップ状に形成し、カップ状に形成したアウター部材３２の内側に男性器を収めて用いる。
【００６８】
アウター部材３２のプリーツ部３３は、幅方向ｘの両端が固定されていることが好ましい。具体的には、アウター部材３２は、幅方向ｘの両端で、山折り３４を挟んだ両側および谷折り３５を挟んだ両側が接合されていることが好ましい。このようにプリーツ部３３が形成されていれば、プリーツ部３３の折り畳みを展開すると、図１２に示されるように、アウター部材３２をカップ状に形成できる。プリーツ部３３の幅方向ｘの両端は、接着剤、熱融着、超音波融着等の公知の接合手段により固定（接合）されればよい。
【００６９】
アウター部材３２の外面側には粘着部３７が設けられている（粘着部３７はクロスハッチングで表されている）。粘着部３７は、図９に示すように、男性用失禁パッド３１の長手方向ｙの両側にそれぞれ設けられることが好ましい。男性用失禁パッド３１に粘着部３７が設けられていれば、男性用失禁パッド３１を着用者のパンツの内側に好適に固定できる。なお粘着部３７は、男性用失禁パッド３１の使用前は、すなわち吸収性物品包装体の状態では、被覆シートと剥離可能に接合されている。粘着部３７は、例えば、アウター部材３２に粘着剤が塗布されたり、粘着テープが貼り付けられることにより形成される。粘着部３７は、図９に示すように、プリーツ部３３よりも長手方向ｙの外方に設けられる。
【００７０】
男性用失禁パッド３１は、アウター部材３２の肌面側に吸収体３８が備えられることが好ましい。図９〜図１１では、吸収体３８は、アウター部材３２に固定部３６で固定されている。
【００７１】
固定部３６はプリーツ部３３以外の場所に設けられることが好ましい。従って、吸収体３８は、アウター部材３２のプリーツ部３３以外の部分に固定され、プリーツ部３３には固定されていないことが好ましい。さらに、吸収体３８は、プリーツ部３３を跨いでアウター部材３２に固定されていないことが好ましい。このように吸収体３８がアウター部材３２に設けられていれば、男性用失禁パッド３１の着用の際、プリーツ部３３の折り畳みを展開しやすくなる。
【００７２】
固定部３６は、アウター部材３２の長手方向ｙの中心付近に設けられることが好ましい。また、アウター部材３２には、固定部３６の長手方向ｙの両側にプリーツ部３３が各々設けられていることが好ましい。このように男性用失禁パッド３１が形成されていれば、アウター部材３２のプリーツ部３３の折り畳みを展開することにより、男性用失禁パッド３１を、吸収体３８が内側に収められたカップ状に形成しやすくなる。
【００７３】
なお、図には示されていないが、吸収体３８は、アウター部材３２に固定されていなくてもよい。例えば、男性用失禁パッド３１の使用前、すなわち吸収性物品包装体の状態では、吸収体３８はアウター部材３２に固定されずに単に重ねられていてもよい。また、吸収体３８がアウター部材３２に対して着脱可能に形成されていてもよい。
【００７４】
吸収体３８の形状は特に限定されない。吸収体３８の形状は、例えば、円形、楕円形、多角形（角の丸まった多角形を含む）、砂時計形等が挙げられる。
【００７５】
吸収体３８には、図１０に示されるように、長手方向ｙの端縁に切欠き３９が形成されていることが好ましい。また、幅方向ｘの端縁に切欠き４０が形成されていることも好ましい。吸収体３８に切欠き３９および／または切欠き４０が形成されていれば、吸収体３８をカップ状に形成しやすくなる。切欠き３９，４０の形状としては、略Ｖ字状に形成されていることが好ましい。すなわち、切欠き３９は、吸収体３８の長手方向ｙの端縁から内方に向かって幅方向ｘの長さが漸減するように形成されていることが好ましい。切欠き４０は、吸収体３８の幅方向ｘの端縁から内方に向かって長手方向ｙの長さが漸減するように形成されていることが好ましい。
【００７６】
図１３には、図９〜図１２に示した男性用失禁パッドを用いた吸収性物品包装体の形成方法の第４実施態様を示した。図１３（ａ）には包装前の吸収性物品（男性用失禁パッド）と被覆シートが示され、図１３（ｂ）には吸収性物品包装体が示されている。図１３（ｂ）では、男性用失禁パッド３１が被覆シート４２で覆われて吸収性物品包装体５１（５１Ａ）が形成されている。なお下記の説明において、上記実施態様と重複する部分の説明は省略する。
【００７７】
吸収性物品包装体５１Ａは、男性用失禁パッド３１が被覆シート４２とともに長手方向ｙに延びる折り目４３で折り返されることにより形成されている。詳細には、吸収性物品包装体５１Ａは、男性用失禁パッド３１の外面側が被覆シート４２で覆われ、男性用失禁パッド３１が被覆シート４２とともに長手方向ｙに延びる折り目４３で折り返され、男性用失禁パッド３１が幅方向ｘに２つ折りされて被覆シート４２で包まれている。
【００７８】
吸収性物品包装体５１Ａでは、男性用失禁パッド３１は、折り目４３で肌面側が内側になるように折り返されることが好ましく、このように折り目４３で折り返されることにより、男性用失禁パッド３１を使用する際に、折り目４３を利用して男性用失禁パッド３１を肌面側を内側にしたカップ形状に形成しやすくなる。折り目４３で折り返された被覆シート４２は、長手方向ｙの端部どうしが接合手段により接合されることが好ましい。なお、折り目４３で折り返されることにより重ねられた被覆シート４２の幅方向ｘの端部どうしは、接合手段によって接合されていても接合されなくてもよい。
【００７９】
折り目４３は、男性用失禁パッド３１の幅方向ｘの中心線（長手方向ｙに延びる中心線）と一致することが好ましい。このように折り目４３が設けられていれば、折り畳んだ男性用失禁パッド３１がコンパクトになる。また、男性用失禁パッド３１を使用する際は、折り目４３に基づいて男性用失禁パッド３１の幅方向ｘの中心を容易に認識することができ、男性用失禁パッド３１を適切に装着しやすくなる。
【００８０】
吸収性物品包装体５１Ａでは、折り目４３が第１領域４５と第２領域４６の境界を形成している。男性用失禁パッド３１は、第１領域４５と折り目４３と第２領域４６が被覆シート４２で覆われ、一方、男性用失禁パッド３１の粘着部３７は、第１領域４５と第２領域４６に設けられ、折り目４３には設けられない。その結果、被覆シート４２は、男性用失禁パッド３１と第１領域４５と第２領域４６で接着され、折り目４３では男性用失禁パッド３１と接着されないこととなる。
【００８１】
吸収性物品包装体５１Ａは、被覆シート４２が幅方向ｘに延びる切断可能線４７を有している。切断可能線４７は、第１領域４５から第２領域４６にかけて延びている。切断可能線４７は、被覆シート４２を長手方向ｙに分離可能に形成されていればよい。なお、被覆シート４２には切断可能線４７が１本形成されているが、切断可能線が２本以上形成されていてもよい。
【００８２】
吸収性物品包装体５１Ａでは、粘着部３７が、プリーツ部３３よりも長手方向ｙの外方に設けられるとともに、切断可能線４７と男性用失禁パッド３１の長手方向ｙの端縁との間に設けられている。このように粘着部３７を配することにより、被覆シート４２を長手方向ｙに引っ張って切断可能線４７で分離する際、男性用失禁パッド３１の長手方向ｙの端部、すなわち男性用失禁パッド３１のプリーツ部３３よりも長手方向ｙの外方部分が、被覆シート４２とともに長手方向ｙに引っ張られて、プリーツ部３３が自然に展開されやすくなる。またこの際、粘着部３７が折り目４３に設けられていないため、被覆シート４２を長手方向ｙから少しずらして引っ張ると、折り目４３で被覆シート４２と男性用失禁パッド３１との間にずれが生じて、折り目４３の粘着部３７が設けられない部分を起点に被覆シート４２を粘着部３７から剥がしやすくなる。その結果、吸収性物品包装体５１Ａから男性用失禁パッド３１を簡単に取り出せるようになる。
【００８３】
図１４には、図１３（ｂ）に示した吸収性物品包装体５１Ａから男性用失禁パッド３１を取り出す方法について示したが、吸収性物品包装体５１Ａから男性用失禁パッド３１を取り出す際、図１４（ａ）に示すように吸収性物品包装体５１Ａの長手方向ｙの両端部をつまんで長手方向ｙに引っ張って、被覆シート４２を長手方向ｙに分離することで、図１４（ｂ）に示すように男性用失禁パッド３１のプリーツ部３３を展開することができる。このように吸収性物品包装体５１Ａから男性用失禁パッド３１を取り出すことにより、プリーツ部３３を自然に展開することができ、これをさらに折り目４３で折り返しを展開することにより、男性用失禁パッド３１を図１２に示すようなカップ状に容易に形成することができる。
【００８４】
吸収性物品包装体５１Ａでは、男性用失禁パッド３１の外面側の全体が被覆シート４２で覆われているが、被覆シート４２は男性用失禁パッド３１の外面側の一部のみを覆うものでもよい。また被覆シート４２は、切断可能線４７の代わりに、被覆シート４２が第１領域４５から第２領域４６にかけて延びる端縁を有するものであってもよい。この場合は、粘着部３７は、プリーツ部３３よりも長手方向ｙの外方に設けられるとともに、当該端縁と男性用失禁パッド３１の長手方向ｙの端縁との間に設けられることが好ましい。
【００８５】
図１５には、図９〜図１２に示した男性用失禁パッドを用いた吸収性物品包装体の形成方法の第５実施態様を示した。図１５（ａ）〜（ｃ）には吸収性物品（男性用失禁パッド）を被覆シートで包装する方法が示され、図１５（ｃ）には吸収性物品包装体が示されている。なお下記の説明において、上記の実施態様と重複する部分の説明は省略する。
【００８６】
図１５では、男性用失禁パッド３１に被覆シート４２が重ねられて長手方向ｙと幅方向ｘに４つ折りされることにより、吸収性物品包装体５１（５１Ｂ）が形成されている。具体的には、男性用失禁パッド３１は、外面側が被覆シート４２で覆われた状態で、長手方向ｙに延びる第１折り目４３で折り返され、さらに幅方向ｘに延びる第２折り目４４で折り返されて、吸収性物品包装体５１Ｂが形成されている。
【００８７】
吸収性物品包装体５１Ｂでは、第１折り目４３が第１領域４５と第２領域４６の境界を形成している。男性用失禁パッド３１は、第１領域４５と第１折り目４３と第２領域４６が被覆シート４２で覆われ、一方、男性用失禁パッド３１の粘着部３７は、第１領域４５と第２領域４６に設けられ、第１折り目４３には設けられない。その結果、被覆シート４２は、男性用失禁パッド３１と第１領域４５と第２領域４６で接着され、第１折り目４３では男性用失禁パッド３１と接着されないこととなる。
【００８８】
吸収性物品包装体５１Ｂは、第２折り目４４で折り返された被覆シート４２の長手方向ｙの端部どうしが、接合手段により接合されることが好ましい。一方、被覆シート４２は、第１折り目４３で折り返されることにより重ねられた幅方向ｘの端部どうしは、接合手段によって接合されても接合されなくてもよい。
【００８９】
吸収性物品包装体５１Ｂでは、被覆シート４２が幅方向ｘに延びる切断可能線４８を有している。切断可能線４８は、第１領域４５から第２領域４６にかけて延びており、第２折り目４４を挟んだ両側にそれぞれ形成されていることが好ましい。切断可能線４８は、被覆シート４２を長手方向ｙに分離可能に形成されていればよい。
【００９０】
吸収性物品包装体５１Ｂでも、吸収性物品包装体５１Ａと同じように粘着部３７が配されることが好ましい。すなわち、粘着部３７が、プリーツ部３３よりも長手方向ｙの外方に設けられるとともに、切断可能線４８と男性用失禁パッド３１の長手方向ｙの端縁との間に設けられることが好ましい。切断可能線４８は、粘着部３７と第２折り目４４の間に設けられることが好ましい。このように吸収性物品包装体５１Ｂが形成されていれば、吸収性物品包装体５１Ｂから男性用失禁パッド３１を取り出す際、吸収性物品包装体５１Ｂを長手方向ｙに引っ張って被覆シート４２を長手方向ｙに分離することで、男性用失禁パッド３１のプリーツ部３３が自然に展開されるようになる。
【００９１】
また、吸収性物品包装体５１Ｂから男性用失禁パッド３１を取り出す際、粘着部３７が第１折り目４３に設けられていないため、被覆シート４２を長手方向ｙから少しずらして引っ張ると、第１折り目４３で被覆シート４２と男性用失禁パッド３１との間にずれが生じて、第１折り目４３の粘着部３７が設けられない部分を起点に被覆シート４２を粘着部３７から剥がしやすくなる。その結果、吸収性物品包装体５１Ｂから男性用失禁パッド３１を簡単に取り出せるようになる。
【００９２】
吸収性物品包装体５１Ｂはまた、男性用失禁パッド３１が幅方向ｘとともに長手方向ｙにも折り返されているため、吸収性物品包装体５１Ｂから男性用失禁パッド３１を取り出す際、男性用失禁パッド３１の長手方向ｙの両端部を同時に引っ張ることができ、プリーツ部３３が第２折り目４４の両側に設けられる場合でも、プリーツ部３３を簡単に展開することができる。そして、男性用失禁パッド３１がコンパクトに折り畳まれ、携帯性に優れるものとなる。
【００９３】
図１６には、図９〜図１２に示した男性用失禁パッドを用いた吸収性物品包装体の形成方法の第６実施態様を示した。図１６（ａ）〜（ｃ）には吸収性物品（男性用失禁パッド）を被覆シートで包装する方法が示され、図１６（ｃ）には吸収性物品包装体が示されている。なお下記の説明において、第５実施態様と重複する部分の説明は省略する。
【００９４】
図１５では、男性用失禁パッドが切断可能線を有する１つの被覆シートで覆われていたが、図１６では、男性用失禁パッドが２つのシート部材に覆われて構成されている。具体的には、男性用失禁パッド３１は長手方向ｙの一方側の端部の外面側が被覆シート４２ａで覆われ、他方側の端部の外面側が被覆シート４２ｂで覆われており、被覆シート４２ａと被覆シート４２ｂで覆われた状態で、肌面側が内側となるように長手方向ｙに延びる第１折り目４３で折り返され（図１６（ａ）参照）、さらに幅方向ｘに延びる第２折り目４４で折り返され（図１６（ｂ）参照）、これにより吸収性物品包装体５１（５１Ｃ）が形成されている（図１６（ｃ）参照）。つまり吸収性物品包装体５１Ｃは、男性用失禁パッド３１が４つ折りされた状態で、男性用失禁パッド３１の長手方向ｙの端部が被覆シート４２ａ，４２ｂで覆われて形成される。吸収性物品包装体５１Ｃでは、被覆シート４２ａと被覆シート４２ｂは、男性用失禁パッド３１が４つ折りされた状態で互いに接合されており、これにより男性用失禁パッド３１は使用前、４つ折りされた状態が維持されるようになる。
【００９５】
被覆シート４２ａは、男性用失禁パッド３１の外面側の少なくとも長手方向ｙの一方側の端縁を覆い、男性用失禁パッド３１の長手方向ｙの一方側の端縁から第２折り目４４に至る領域の一部または全部を覆っている。ただし、被覆シート４２ａは第２折り目４４を越えて設けられない。被覆シート４２ｂは、男性用失禁パッド３１の外面側の少なくとも長手方向ｙの他方側の端縁を覆い、男性用失禁パッド３１の長手方向ｙの他方側の端縁から第２折り目４４に至る領域の一部または全部を覆っている。ただし、被覆シート４２ｂは第２折り目４４を越えて設けられない。つまり、吸収性物品包装体５１Ｃでは、被覆シート４２ａ，４２ｂが、第１領域４５から第２領域４６にかけて延びる端縁４９ａ，４９ｂをそれぞれ有している。その結果、吸収性物品包装体５１Ｃは、第２折り目４４が被覆シート４２ａと被覆シート４２ｂに覆われずに露出している。
【００９６】
吸収性物品包装体５１Ｃは、男性用失禁パッド３１が４つ折りされた状態で、男性用失禁パッド３１の第２折り目４４が被覆シート４２ａ，４２ｂで覆われずに露出しているため、男性用失禁パッド３１の第２折り目４４の近傍を一方の手で掴み、他方の手で被覆シート４２ａと被覆シート４２ｂを掴み、吸収性物品包装体５１Ｃを長手方向ｙに引っ張ることで、吸収性物品包装体５１Ｃから男性用失禁パッド３１を簡単に取り出すことができる。この際、第２折り目４４の内側に指をかけるようにして男性用失禁パッド３１を一方の手で掴むことにより、吸収性物品包装体５１Ｃを長手方向ｙに引っ張って男性用失禁パッド３１から被覆シート４２ａ，４２ｂを容易に剥がすことができる。また、吸収性物品包装体５１Ｃから男性用失禁パッド３１を取り出す際、男性用失禁パッド３１を誤って手から落とすことも起こりにくい。
【００９７】
吸収性物品包装体５１Ｃは、第１折り目４３で折り返された被覆シート４２ａどうしまたは被覆シート４２ｂどうしが、幅方向ｘの端部および／または長手方向ｙの端部で接合されていることが好ましい。このように被覆シート４２ａと被覆シート４２ｂが形成されていれば、吸収性物品包装体５１Ｃの状態で、男性用失禁パッド３１の長手方向ｙの端部が被覆シート４２ａ，４２ｂから露出しにくくなり、吸収性物品包装体５１Ｃの取り扱い性が向上する。
【００９８】
吸収性物品包装体５１Ｃでは、粘着部３７が、プリーツ部３３よりも長手方向ｙの外方に設けられるとともに、端縁４９ａ，４９ｂと男性用失禁パッド３１の長手方向ｙの端縁との間に設けられることが好ましい。端縁４９ａ，４９ｂは、粘着部３７と第２折り目４４の間に位置することが好ましい。このように吸収性物品包装体５１Ｃが形成されていれば、吸収性物品包装体５１Ｃから男性用失禁パッド３１を取り出すのに被覆シート４２ａ，４２ｂを男性用失禁パッド３１から剥がす際に、プリーツ部３３が自然に展開されるようになる。
【００９９】
また、吸収性物品包装体５１Ｃから男性用失禁パッド３１を取り出す際、粘着部３７が第１折り目４３に設けられていないため、被覆シート４２ａ，４２ｂを長手方向ｙから少しずらして引っ張ると、第１折り目４３で被覆シート４２ａ，４２ｂと男性用失禁パッド３１との間にずれが生じて、第１折り目４３の粘着部３７が設けられない部分を起点に被覆シート４２ａ，４２ｂを粘着部３７から剥がしやすくなる。その結果、吸収性物品包装体５１Ｃから男性用失禁パッド３１を簡単に取り出せるようになる。
【０１００】
吸収性物品包装体５１Ｃにおいても、被覆シート４２ａ，４２ｂが端縁４９ａ，４９ｂから内側に折り返されて延在する折り返し部を有し、粘着部３７が当該折り返し部と剥離可能に接合していてもよい。
【０１０１】
吸収性物品包装体５１Ａ〜５１Ｃでは、男性用失禁パッド３１の吸収体３８は、長手方向ｙの端縁近傍が（第１）折り目４３の両側で接合されることが好ましい。図１３、図１５、図１６では、接合部４１で、吸収体３８の長手方向ｙの端縁近傍が折り目４３の両側で接合されている。このように吸収体３８が形成されていれば、男性用失禁パッド３１を吸収性物品包装体５１から取り出して、男性用失禁パッド３１を折り目４３で展開した際、吸収体３８の肌面側の表面がカップ状に形成されて、吸収体３８の男性器へのフィット性を高めることができる。
【０１０２】
吸収体３８の長手方向ｙの端縁近傍が折り目４３の両側で接合される場合、吸収体３８は肌面側で互いに接合される。また、長手方向ｙの端縁から２０ｍｍ以内の領域（好ましくは１５ｍｍ以内の領域）で吸収体３８どうしが接合されることが好ましい。さらに、折り目４３から１５ｍｍ以内の領域（好ましくは１０ｍｍ以内の領域）で吸収体３８どうしが接合されることが好ましい。吸収体３８どうしの接合は、接着剤や熱融着等の接合手段により行えばよい。
【０１０３】
吸収体３８の長手方向ｙの端縁に切欠き３９が形成される場合は、折り目４３を跨いで切欠き３９が形成されることが好ましい。折り目４３を跨いで切欠き３９が形成されていれば、折り目４３を利用して吸収体３８の肌面側と外面側の両方の表面をカップ状に形成しやすくなる。従って、吸収体３８の男性器へのフィット性が高まるとともに、吸収体３８がカップ状に形成されたアウター部材３２の内側に好適に収まるようになる。
【符号の説明】
【０１０４】
１：  吸収性物品
８，３７：  粘着部
１１，５１：  吸収性物品包装体
１２，１２ａ，１２ｂ，４２，４２ａ，４２ｂ：  被覆シート
１３，１４，４３：  折り目
２１，４３：  第１折り目
２２，４４：  第２折り目
１５，２３，４５：  第１領域
１６，２４，４６：  第２領域
１９，２５，４７，４８：  切断可能線
２０ａ，２０ｂ，４９ａ，４９ｂ：  端縁
２７ａ，２７ｂ：  折り返し部
３１：  男性用失禁パッド
３２：  アウター部材
３３：  プリーツ部
３８：  吸収体
【図１】
2013236683.tif 000003
【図２】
2013236683.tif 000004
【図３】
2013236683.tif 000005
【図４】
2013236683.tif 000006
【図５】
2013236683.tif 000007
【図６】
2013236683.tif 000008
【図７】
2013236683.tif 000009
【図８】
2013236683.tif 000010
【図９】
2013236683.tif 000011
【図１０】
2013236683.tif 000012
【図１１】
2013236683.tif 000013
【図１２】
2013236683.tif 000014
【図１３】
2013236683.tif 000015
【図１４】
2013236683.tif 000016
【図１５】
2013236683.tif 000017
【図１６】
2013236683.tif 000018